(57)【特許請求の範囲】
【請求項１】
略箱形状であり、長辺側の側板の建物の床下換気口に対応する位置から底面に至る通気口が設けられ、短辺側は端板で閉塞され、上面に通気可能な蓋部材を載置するための開口部が設けられ、底面が前記床下換気口よりも低い位置になるように底部に地面との間隔を調整し得る間隔調整具な設けられたことを特徴とする通気ブロック。
【請求項２】
前記間隔調整具は、ボルトと、該ボルトに螺合されて前記底板を挟む複数のナットと、により構成されており、前記複数のナットの螺合位置の調整により、間隔が調整されることを特徴とする請求項１に記載の通気ブロック。
【請求項３】
建物と、該建物の床下換気口よりも高い位置が上面となるように地面よりも嵩上げした地盤との間に溝部を設け、
前記溝部内に請求項１または請求項２に記載の通気ブロックを設置し、
前記地面よりも嵩上げした地盤の上面と、前記通気ブロックの上面の開口部に載置した蓋部材の上面とが略面一になるように設定されたことを特徴とする換気口構造。
【発明の詳細な説明】
【技術分野】
【０００１】
本発明は、建物に近接して地面よりも高い地盤を設けた場合でも該建物の床下換気口の換気機能を確保し得る通気ブロック及びこれを用いた換気口構造に関するものである。
【背景技術】
【０００２】
従来、高齢者向け住宅として、高齢者の生活動線を考慮して住戸内の居室と浴室、トイレ、台所の配置・連結の仕方に関して高齢者が介護を受け易く、或いは利用し易いように配慮する技術が提案されており、屋内から屋外へバリアフリーで出入可能な建物の提案もなされている。
【０００３】
しかしながら、屋内から屋外へバリアフリーで出入するために地面よりも嵩上げしたポーチ等を設けようとすると、出入したい場所の建物基礎には床下換気口が設けられており、そのような床下換気口をポーチにより塞いでしまい、建物の床下換気機能が低下するという問題があった。
【０００４】
例えば、特開２００６−２００２０６号公報（特許文献１）には、外廊下側に配置された居室とバルコニーに隣設する居室とが直線状の通路で結ばれ、該通路に面して浴室、トイレ及び台所が配置された集合住宅が提案されている。
【０００５】
【特許文献１】特開２００６−２００２０６号公報
【発明の開示】
【発明が解決しようとする課題】
【０００６】
しかしながら、前述の特許文献１の技術は、集合住宅において高齢者が車椅子で移動を容易にする技術であるものの、住戸内の部屋の配置に限定された工夫であったため、住棟と住戸、部屋という大きな枠組みでの配慮がなされておらず、住戸外の高齢者の移動に関しては、十分な対応ができていなかった。また、建物の床下換気についての解決は何ら記載されていない。
【０００７】
本発明は前記課題を解決するものであり、その目的とするところは、建物に近接して地面よりも高い地盤を設けた場合でも該建物の床下換気口の換気機能を確保し得る通気ブロック及びこれを用いた換気口構造を提供せんとするものである。なお、建物に近接して地面よりも高くする地盤は、屋内から屋外へバリアフリーで出入可能にする住戸出入口近傍だけでなく、車椅子移動が必要な建物の周囲の近傍などを含む。
【課題を解決するための手段】
【０００８】
前記目的を達成するための本発明に係る通気ブロックの第１の構成は、略箱形状であり、長辺側の側板の建物の床下換気口に対応する位置から底面に至る通気口が設けられ、短辺側は端板で閉塞され、上面に通気可能な蓋部材を載置するための開口部が設けられ、底面が前記床下換気口よりも低い位置になるように底部に地面との間隔を調整し得る間隔調整具を設けられたことを特徴とする。
【０００９】
また、本発明に係る通気ブロックの第２の構成は、前記第１の構成において、前記間隔調整具は、ボルトと、該ボルトに螺合されて前記底板を挟む複数のナットと、により構成されており、前記複数のナットの螺合位置の調整により、間隔が調整されることを特徴とする。
【００１０】
また、本発明に係る換気口構造は、建物と、該建物の床下換気口よりも高い位置が上面となるように地面よりも嵩上げした地盤との間に溝部を設け、前記溝部内に前記第１、第２の構成の通気ブロックを設置し、前記地面よりも嵩上げした地盤の上面と、前記通気ブロックの上面の開口部に載置した蓋部材の上面とが略面一になるように設定されたことを特徴とする。
【発明の効果】
【００１１】
本発明に係る通気ブロックの第１の構成によれば、長辺側の側板の建物の床下換気口に対応する位置垂直部に通気口を設け、上面に通気可能な蓋部材を載置するための開口部を設けたことにより建物の床下空間から床下換気口、通気ブロックの垂直部の通気口、通気可能な蓋部材を介して換気可能に構成される。また、底面が建物の床下換気口よりも低い位置になるように底部に地面との間隔を調整し得る間隔調整具を設けたことで通気ブロックの高さ位置を自在に調節できる。また、蓋部材、通気ブロックは取り外しが容易なので、掃除もし易い。
【００１２】
また、底部に至る通気口を設けたことにより、建物の床下空間の換気のみならず排水も可能である。また、短辺側を端板で閉塞したことで通気ブロックの強度を確保することが出来る。また、同一形状に保つことができるので、蓋部材の着脱が容易である。
【００１３】
また、本発明に係る換気口構造によれば、溝部内に収容した通気ブロックの蓋部材の上面と、地面よりも嵩上げした地盤の上面とを略面一になるように設定することで、通気ブロックを介して建物の屋内から屋外へバリアフリーで出入することが出来、同時に建物の床下換気機能も確保出来る。また、建物周囲、或いは一部の地盤を嵩上げしたとき、建物の床下換気機能を確保できる。
【発明を実施するための最良の形態】
【００１４】
図により本発明に係る通気ブロック及びそれを備えた換気口構造の一実施形態を具体的に説明する。図１は本発明に係る通気ブロックの構成を示す斜視説明図、図２（ａ）は通気ブロックの構成を示す正面説明図、図２（ｂ）は通気ブロックの構成を示す平面説明図、図２（ｃ）は通気ブロックの構成を示す側面説明図、図３及び図４は本発明に係る通気ブロックを備えた換気口構造の構成を示す断面説明図、図５（ａ），（ｂ）は本発明に係る通気ブロックの他の使用例を示す斜視説明図及び断面説明図である。
【００１５】
図１及び図２において、10は通気ブロックであり、底部となる底板10ａと、該底板10ａから起立した垂直部となる一対の側板10ｂと、該垂直部の高さ方向の所定位置には該一対の側板10ｂを連結する連結部材となる連結板10ｃとを有して構成され、底板10ａ及び一対の側板10ｂには水平方向に所定のピッチで複数の通気口７が連続して設けられ、上面に通気可能な蓋部材10ｅを載置するための開口部が設けられている。一対の側板10ｂの天部には断面Ｌ字形状の蓋受部10ｄが設けられており、該蓋受部10ｄによりグレーチング材等により構成された通気可能な蓋部材10ｅが着脱自在に載置支持される。図中10ｆは通気ブロック10の長手方向両端部を閉塞すると共に該通気ブロック10を安定して自立させるための端板である。また、連結板10ｃも該通気ブロック10を安定して自立させるのに寄与する。尚、図２（ｂ），（ｃ）では間隔調整具６を構成するボルト12、ナット13〜15を省略している。
【００１６】
図３〜図５に示すように、建物１の床下換気口８に対応して垂直部となる側板10ｂに設けられた通気口７が配置される。通気ブロック10の底部となる底板10ａには、底面が床下換気口８の下面８ａよりも低い位置になるように地面５との間隔を調整し得る間隔調整具６が設けられている。
【００１７】
本実施形態の間隔調整具６の具体的構成としては、通気ブロック10の底部となる底板10ａに貫通孔10a1が形成されており、該貫通孔10a1に下方から予めナット13が螺合されたボルト12が挿入される。ナット13の螺合位置は、通気ブロック10の高さが地盤４の上面４ａに一致する高さになるように設定される。そして、底板10ａの上方からナット14をボルト12に螺合締結して底板10ａにボルト12を固定する。ナット15はロックナットである。
【００１８】
図３及び図４に示すように、建物１と、該建物１の床下換気口８よりも高い位置が上面４ａとなるように地面５よりも嵩上げした地盤４との間に溝部９が設けられており、該溝部９内に通気ブロック10が設置される。そして、通気ブロック10の底部に設けられた間隔調整具６を調節することにより、地面５よりも嵩上げした地盤４の上面４ａと、通気ブロック10の上面開口部に設けられた蓋受部10ｄに載置した蓋部材10ｅの上面10e1とが略面一になるように設定されている。溝部９は他の排水通路につなげることで、大雨のときなどでも、床下換気口８に水が浸入することがない。
【００１９】
図３は建物１の外壁３の外側に通気ブロック10を設置した一例であり、図４は建物１の開口サッシ２の外側に通気ブロック10を設置した一例である。尚、図４において、開口サッシ２を開放して建物１の屋内から屋外へバリアフリーで出入する場合、開口サッシ２と通気ブロック10との隙間が車椅子の車輪径で支障なく通れる場合は良いが、開口サッシ２と通気ブロック10との隙間が大きい場合には開口サッシ２側或いは通気ブロック10側に図示しない回動式等のフラッパを設けて橋渡しすることでも良いし、開口サッシ２と通気ブロック10との隙間に別途、ブロック部材等を挿入して橋渡しすることも出来る。
【００２０】
図５は図３、図４に示したような溝部９を設けることなく、地面５上に直接、通気ブロック10を設置し、該通気ブロック10の外周部に化粧板16を施して、蓋部材10ｅ上に観賞用の鉢植17等を載置したものである。このような通気ブロック10は縁台としても利用できる。
【００２１】
上記構成によれば、建物１の床下換気口８に対応する垂直部となる側板10ｂに通気口７を設け、上面に通気可能な蓋部材10ｅを載置するための開口部を設けたことにより建物１の床下空間11から床下換気口８、通気ブロック10の垂直部となる側板10ｂの通気口７、通気可能な蓋部材10ｅを介して換気可能に構成される。また、底面が建物１の床下換気口８よりも低い位置になるように底部となる底板10ａに地面５との間隔を調整し得る間隔調整具６を設けたことで通気ブロック10の高さ位置を自在に調節できる。
【００２２】
また、一対の垂直部となる側板10ｂ及び底部となる底板10ａに複数の通気口７を水平方向に所定のピッチで連続して設けたことにより、建物１の床下空間11の換気のみならず排水も可能である。また、垂直部の高さ方向の所定位置に該一対の垂直部となる側板10ｂを連結する連結部材となる連結板10ｃを設けたことで通気ブロック10の強度を確保することが出来る。
【００２３】
また、溝部９内に収容した通気ブロック10の蓋部材10ｅの上面10e1と、地面５よりも嵩上げした地盤４の上面４ａとを略面一になるように設定することで、通気ブロック10を介して建物１の屋内から屋外へバリアフリーで出入することが出来、同時に建物１の床下換気機能も確保出来る。
【００２４】
また、通気ブロック10の側板10ｂ及び底板10ａに通気口７を設けたことで、雨水等の排水を妨げることがない。また、蓋部材10ｅを蓋受部10ｄから着脱自在に構成することで、通気ブロック10内部の清掃が容易である。また、通気ブロック10を溝部９から着脱自在に構成することで、溝部９内部の清掃も容易となる。通気ブロック10内は通気性が良く、カビ等の発生がない。
【産業上の利用可能性】
【００２５】
本発明の活用例として、建物に近接して地面よりも高い地盤を設けた場合でも該建物の床下換気機能を確保し得る通気ブロック及びこれを用いた換気口構造に適用出来、庭への踏み石、縁台、物置等の設置用基礎、花台等に適用することが出来る。
【図面の簡単な説明】
【００２６】
【図１】本発明に係る通気ブロックの構成を示す斜視説明図である。
【図２】（ａ）は通気ブロックの構成を示す正面説明図、（ｂ）は通気ブロックの構成を示す平面説明図、（ｃ）は通気ブロックの構成を示す側面説明図である。
【図３】本発明に係る通気ブロックを備えた換気口構造の構成を示す断面説明図である。
【図４】本発明に係る通気ブロックを備えた換気口構造の構成を示す断面説明図である。
【図５】（ａ），（ｂ）は本発明に係る通気ブロックの他の使用例を示す斜視説明図及び断面説明図である。
【符号の説明】
【００２７】
１…建物
２…開口サッシ
３…外壁
４…地盤
４ａ…上面
５…地面
６…間隔調整具
７…通気口
８…床下換気口
８ａ…下面
９…溝部
10…通気ブロック
10ａ…底板
10a1…貫通孔
10ｂ…側板
10ｃ…連結板
10ｄ…蓋受部
10ｅ…蓋部材
10e1…上面
10ｆ…端板
11…床下空間
12…ボルト
13〜15…ナット
16…化粧板
17…鉢植
【図１】
0005042792.tif 000002
【図２】
0005042792.tif 000003
【図３】
0005042792.tif 000004
【図４】
0005042792.tif 000005
【図５】
0005042792.tif 000006